(57)【要約】【課題】  簡便な装置構成で容易に特定色相の色補正処理をする。【解決手段】色相を示す２つの色差信号を、少なくとも１フレーム分、記憶するフレームメモリ１１と、特定色相を指定し、特定色相を補正する補正量を指定するユーザインターフェース４０と、フレームメモリ１１から特定色相を示す２つの色差信号を読み出すマイクロコンピュータ１３と、読み出された特定色相を示す２つの色差信号に対して、指定された補正量に対応する加算補正量を加算する加算器１２とを備えることで実現する。【選択図】  図２
2005101844.tif 000002
【特許請求の範囲】
【請求項１】
互いに直交するＸ軸、Ｙ軸がつくるＸＹ平面上において、２つの色差信号の一方の色差信号をＸ方向成分、他方の色差信号をＹ方向成分として示される色相のうち特定色相の色を補正する色補正回路において、
色相を示す２つの色差信号を、少なくとも１フレーム分、記憶する記憶手段と、
上記特定色相を指定する特定色相指定手段と、
上記特定色相指定手段によって指定された上記特定色相を示す２つの色差信号が上記記憶手段に記憶されているかどうかを検索する検索手段と、
上記特定色相を補正する補正量を指定する補正量指定手段と、
上記検索手段によって、上記記憶手段に記憶されている上記特定色相を示す２つの色差信号が検索された場合、上記記憶手段から上記特定色相を示す上記２つの色差信号を読み出す読み出し手段と、
上記読み出し手段によって読み出された上記特定色相を示す上記２つの色差信号に対して、上記補正量指定手段によって指定された補正量に対応する加算補正量を加算する加算手段とを備えること
を特徴とする色補正回路。
【請求項２】
上記検索手段によって、上記記憶手段に記憶されている上記特定色相を示す２つの色差信号が検索された場合、上記特定色相近傍にあり色補正処理を施す対象である色相を決定する補正対象決定手段と、
上記補正対象決定手段によって決定された上記特定色相近傍にある色補正処理を施す対象である色相に対する加算補正量を決定する加算補正量決定手段とを備え、
上記読み出し手段は、上記記憶手段から上記補正対象決定手段によって決定された上記特定色相近傍の色相を示す２つの色差信号を読み出し、
上記加算手段は、上記読み出し手段によって読み出された上記特定色相近傍の色相を示す上記２つの色差信号に対して、上記加算補正量決定手段によって決定された上記加算補正量を加算すること
を特徴とする請求項１記載の色補正回路。
【請求項３】
互いに直交するＸ軸、Ｙ軸がつくるＸＹ平面上において、２つの色差信号の一方の色差信号をＸ方向成分、他方の色差信号をＹ方向成分として示される色相のうち特定色相の色を補正する色補正回路の色補正方法において、
色相を示す２つの色差信号を、少なくとも１フレーム分、記憶手段に記憶し、
上記特定色相を指定し、
指定された上記特定色相を示す２つの色差信号が上記記憶手段に記憶されているかどうかを検索し、
上記特定色相を補正する補正量を指定し、
上記記憶手段に記憶されている上記特定色相を示す２つの色差信号が検索された場合、上記記憶手段から上記特定色相を示す上記２つの色差信号を読み出し、
読み出された上記特定色相を示す上記２つの色差信号に対して、指定された上記補正量に対応する加算補正量を加算すること
を特徴とする色補正方法。
【請求項４】
上記記憶手段に記憶されている上記特定色相を示す２つの色差信号が検索された場合、上記特定色相近傍にあり色補正処理を施す対象である色相を決定し、
決定された上記特定色相近傍にある色補正処理を施す対象である色相に対する加算補正量を決定し、
上記記憶手段から決定された上記特定色相近傍の色相を示す２つの色差信号を読み出し、
読み出された上記特定色相近傍の色相を示す上記２つの色差信号に対して、決定された上記加算補正量を加算すること
を特徴とする請求項３記載の色補正方法。
【発明の詳細な説明】
【技術分野】
【０００１】
本発明は、ディスプレイ装置の色補正回路及び色補正方法に関するものであり、詳しくは、色相点の近傍のみにおける色相を補正する色補正回路及び色補正方法に関する。
【背景技術】
【０００２】
映像信号を表示するディスプレイには、例えば、ＣＲＴ（Cathode Ray Tube）ディスプレイ、液晶ディスプレイ、プラズマディスプレイというように表示原理の異なる様々なディスプレイがある。
【０００３】
通常、ディスプレイの３原色の色度点は、所定の映像方式で伝送された映像信号、例えば、ＮＴＳＣ（National Television System Standard Committee）方式で伝送された映像信号の色度点と一致しておらず、上述したような各ディスプレイに同一の映像信号を供給した場合、ディスプレイに表示される映像は、色度、つまり色相と、彩度とがディスプレイ毎に異なるずれを生じている。
【０００４】
また、カメラ装置などの撮像装置によって撮像された映像信号を各ディスプレイに表示させた場合、撮像装置自体の３原色のばらつきにより、同じ様に色相、彩度にずれが発生することになる。
【０００５】
一般に、ベースバンド映像信号には、赤色（Ｒ）、緑色（Ｇ）、青色（Ｂ）といった光の３原色信号が用いられるか、又は上記３原色信号を輝度信号（Ｙ）と２つの色差信号（Ｒ−Ｙ，Ｂ−Ｙ）とに変換した信号が用いられるかのどちらかである。
【０００６】
ディスプレイで用いられる信号は、Ｒ，Ｇ，Ｂの３原色信号であるが、３原色信号と、輝度信号及び色差信号とは、マトリックス回路にて相互に変換することができる。
【０００７】
したがって、色相、彩度を制御するには、３原色信号を用いる場合よりも処理が容易であることから、色差信号が利用されることになる。
【０００８】
以上、説明した従来の技術では、特定の色相の近傍のみの色相や彩度の補正（以下、色補正と呼ぶ）をすることはできなかった。例えば、特定の色相近傍での色補正量を、他の色相点に対して相対的に補正することは可能であるが、この補正によって全ての色相点が変化してしまうといった問題があった。
【０００９】
そこで、上記問題に対処すべく、特定の色相点の近傍における彩度や色相の補正を可能とする色補正回路が開示されている（例えば、特許文献１参照。）。
【００１０】
【特許文献１】特開２００１−１２８１９９号公報
【発明の開示】
【発明が解決しようとする課題】
【００１１】
しかし、特開２００１−１２８１９９号公報で示されている色補正回路は、複数の乗算器、複数の加算器、複数のリミッタを組み合わせることで構成されているため、装置の大型化や、コストの増加を生じさせてしまうといった問題がある。
【００１２】
また、特開２００１−１２８１９９号公報以外の色補正回路においても、特定の色相点の近傍における彩度や色相の補正を可能とするような構成にする場合には、回路が複雑化、大型化してしまうといった問題や、色補正処理の基準となる高い精度の入力信号を指定する必要があるといった問題があった。
【００１３】
また、このように、特定の色相点の近傍における彩度や色相の補正を実行可能な色補正回路を、家庭や、一般に用いられるテレビジョン受像機に搭載した場合には、あまりにも高機能のためユーザが使いこなせないような不要な機能となってしまい、不要な機能のための無駄なコストアップを強いられるといった問題もある。
【００１４】
そこで、本発明は上述したような問題を解決するために案出されたものであり、簡便な回路構成で、容易に所望の色補正処理を実行する色補正回路及び色補正方法を提供することを目的とする。
【課題を解決するための手段】
【００１５】
上述の目的を達成するために、本発明に係る色補正回路は、互いに直交するＸ軸、Ｙ軸がつくるＸＹ平面上において、２つの色差信号の一方の色差信号をＸ方向成分、他方の色差信号をＹ方向成分として示される色相のうち特定色相の色を補正する色補正回路において、色相を示す２つの色差信号を、少なくとも１フレーム分、記憶する記憶手段と、上記特定色相を指定する特定色相指定手段と、上記特定色相指定手段によって指定された上記特定色相を示す２つの色差信号が上記記憶手段に記憶されているかどうかを検索する検索手段と、上記特定色相を補正する補正量を指定する補正量指定手段と、上記検索手段によって、上記記憶手段に記憶されている上記特定色相を示す２つの色差信号が検索された場合、上記記憶手段から上記特定色相を示す上記２つの色差信号を読み出す読み出し手段と、上記読み出し手段によって読み出された上記特定色相を示す上記２つの色差信号に対して、上記補正量指定手段によって指定された補正量に対応する加算補正量を加算する加算手段とを備えることを特徴とする。
【００１６】
上述の目的を達成するために、本発明に係る色補正方法は、互いに直交するＸ軸、Ｙ軸がつくるＸＹ平面上において、２つの色差信号の一方の色差信号をＸ方向成分、他方の色差信号をＹ方向成分として示される色相のうち特定色相の色を補正する色補正回路の色補正方法において、色相を示す２つの色差信号を、少なくとも１フレーム分、記憶手段に記憶し、上記特定色相を指定し、指定された上記特定色相を示す２つの色差信号が上記記憶手段に記憶されているかどうかを検索し、上記特定色相を補正する補正量を指定し、上記記憶手段に記憶されている上記特定色相を示す２つの色差信号が検索された場合、上記記憶手段から上記特定色相を示す上記２つの色差信号を読み出し、読み出された上記特定色相を示す上記２つの色差信号に対して、指定された上記補正量に対応する加算補正量を加算することを特徴とする。
【発明の効果】
【００１７】
本発明は、指定された特定色相を示す２つの色差信号を記憶手段から読み出し、読み出した２つの色差信号に対して、指定された補正量に対応する加算補正量を加算することで所望の特定色相の色補正処理を、簡便な装置構成で容易に実行することを可能とする。
【００１８】
また、特定色相近傍の色相に対しても、決定された加算補正量を加算することで、簡便な装置構成で、色補正処理を容易に実行することを可能とする。
【００１９】
したがって、色補正処理において、従来までは必要としていた色補正処理の基準となる高い精度の入力信号を特に指定する必要がなくなり、モニターディスプレイなどのリファレンス映像を参照しながら、容易に所望の色に合わせ込むことを可能とする。
【発明を実施するための最良の形態】
【００２０】
以下、本発明に係る色補正回路及び色補正方法の発明を実施するための最良の形態を図面を参照にして詳細に説明する。
【００２１】
図１に示すように、本発明を実施するための最良の形態として示す色補正回路１０は、例えば、テレビジョン受像機などにおいて、ビデオ信号を輝度信号（Ｙ）と、２つの色差信号、色差信号（Ｒ−Ｙ）、色差信号（Ｂ−Ｙ）に分離するＹ／Ｃ分離回路２０の後段に設けられる。Ｙ／Ｃ分離回路２０で、分離された輝度信号（Ｙ）、色差信号（Ｒ−Ｙ）、色差信号（Ｂ−Ｙ）は、色補正回路１０で、色補正がなされ、後段のマトリックス回路３０に供給される。
【００２２】
マトリックス回路３０は、色補正回路１０によって色補正が施された輝度信号（Ｙ）、色差信号（Ｂ−Ｙ）、色差信号（Ｒ−Ｙ）を、３原色のＲ，Ｇ，Ｂ信号に変換する。マトリックス回路３０で変換されたＲ，Ｇ，Ｂ信号は、表示デバイス、例えば、ＣＲＴディスプレイ、液晶ディスプレイ、プラズマディスプレイに供給されることになる。
【００２３】
図２を用いて、色補正回路１０について説明をする。図２に示すように色補正回路１０は、フレームメモリ１１と、加算器１２と、マイクロコンピュータ１３と、ＲＯＭ（Read Only Memory）１４とを備えている。色補正回路１０は、ユーザインターフェース４０を介して入力されるユーザからの要求に応じて色補正処理を実行する。
【００２４】
ユーザインターフェース４０は、例えば、テレビジョン受像機のディスプレイ上に表示されるＧＵＩ（Graphical User Interface）などであり、テレビジョン受像機本体に備えられたスイッチや、リモートコントローラに備えられた入力ボタンによって簡便な入力操作を可能とする。
【００２５】
ユーザインターフェース４０を介して、ユーザは、色補正回路１０において、色補正処理を実行させる色相を指定する。ユーザによってユーザインターフェース４０を介して指定される特定の色相を特定色相と呼ぶ。さらに、ユーザインターフェース４０を介して、ユーザは、この特定色相の補正量も指定することになる。
【００２６】
色補正回路１０は、このように、ユーザインターフェース４０を介してユーザから指定された特定色相を、指定された補正量分だけ補正処理することになる。
【００２７】
ここで、本発明を実施するための最良の形態として示す色補正回路１０における色補正の原理について説明をする。
【００２８】
ＮＴＳＣ方式では、光の３原色であるＲ，Ｇ，Ｂ信号を、輝度信号（Ｙ）と、２つの色差信号である、色差信号（Ｒ−Ｙ）及び色差信号（Ｂ−Ｙ）に変換し、輝度信号（Ｙ）に色差信号（Ｒ−Ｙ）及び色差信号（Ｂ−Ｙ）を重畳してテレビジョン受像機に伝送している。このとき伝送信号に付加されるカラーバースト信号を基準とし、各色差信号のカラーバースト信号からの位相のずれ量によって各色相を表している。
【００２９】
ここで、互いに直交するＸ軸、Ｙ軸がつくるＸＹ平面において、色差信号（Ｂ−Ｙ）をＸ軸、色差信号（Ｒ−Ｙ）をＹ軸とすると、黄色、シアン、緑色、マゼンタ、赤色、青色をディスプレイに表示させるＮＴＳＣ方式のカラーバー信号は、図３に示すようにベクトル表記することができる。ベクトルの方向は、色差信号のカラーバースト信号に対する位相のずれを示し、ベクトルの大きさは、色の濃さ、つまり彩度（色飽和度）を示している。
【００３０】
本発明の色補正回路１０は、図３で示されるＸＹ平面において、ベクトル表記される色差信号のうち、任意の色相の色差信号のベクトルの方向をユーザの要求に応じて変更することで色補正処理を実行する。
【００３１】
再び、図２に戻り、色補正回路１０の構成について説明をする。
【００３２】
フレームメモリ１１は、Ｙ／Ｃ分離回路２０から供給された輝度信号（Ｙ）、色差信号（Ｒ−Ｙ）、色差信号（Ｂ−Ｙ）を少なくとも１フレーム分、一時的に記憶するメモリである。
【００３３】
加算器１２は、ユーザによって、ユーザインターフェース４０を介して指定され、マイクロコンピュータ１３によってフレームメモリ１１から読み出された特定色相を示す２つの色差信号である色差信号（Ｒ−Ｙ）ｘ、色差信号（Ｂ−Ｙ）ｘが供給される。さらに、加算器１２は、ユーザインターフェース４０を介して、ユーザから指定された補正量から、マイクロコンピュータ１３によって算出された加算補正量が供給され、フレームメモリ１１から読み出された色差信号（Ｒ−Ｙ）ｘ、色差信号（Ｂ−Ｙ）ｘに加算をする。
【００３４】
これにより生成される加算処理後の色差信号を、色差信号（Ｒ−Ｙ）ａ、色差信号（Ｂ−Ｙ）ａとすると、特定色相においては、色差信号（Ｒ−Ｙ）ｘ、色差信号（Ｂ−Ｙ）ｘに代わって、加算した加算補正量によってベクトル方向が変更された色差信号（Ｒ−Ｙ）ａ、色差信号（Ｂ−Ｙ）ａが出力され、補正が実行されることになる。
【００３５】
マイクロコンピュータ１３は、色補正回路１０における色補正処理における各処理動作を統括的に制御する制御部である。マイクロコンピュータ１３は、ユーザインターフェース４０を介して入力されるユーザからの要求に応じて、フレームメモリ１１から特定色相の色差信号（Ｒ−Ｙ）ｘ、色差信号（Ｂ−Ｙ）ｘを検索して、読み出したり、指定された補正量から適切な加算補正量を算出し、加算器１２を制御して上述した加算処理を実行させたりする。
【００３６】
マイクロコンピュータ１３は、ユーザインターフェース４０を介して、特定色相が指定された際に、フレームメモリ１１から特定色相の色差信号（Ｒ−Ｙ）ｘ、色差信号（Ｂ−Ｙ）ｘを検索して読み出すが、特定色相のみだと表示画像上で視覚的に認識できない程度の補正しか与えることができないため、特定色相近傍の色差信号を読み出すようにする。この特定色相及び特性色相近傍の色相が補正対象となる。補正対象となる色相をあまり多くし過ぎると、補正処理後の表示画像で色相が滑らかに変化しなくなってしまうため、適切な選択が必要である。
【００３７】
例えば、図３に示すカラーベクトル図において、特定色相に指定された赤色から黄色、又は赤色からマゼンタ方向へと色補正する場合を考えると、赤色から、それぞれ黄色又はマゼンタまでの最大１０％程度だけ異なる色相を補正対象の色相とする。
【００３８】
補正対象の色相を特定色相近傍まで拡大した場合、マイクロコンピュータ１３は、特定色相以外の色相に対する加算補正量を算出することになる。ユーザからは、ユーザインターフェースを介して、特定色相に対する補正量のみが要求されるため、特定色相近傍の色相に対する加算補正量は、マイクロコンピュータ１３によって算出される。このとき、マイクロコンピュータ１３は、特定色相の加算補正量を超えない程度に、特定色相近傍の色相の加算補正量を算出する。
【００３９】
ＲＯＭ１４は、読み出し専用のメモリであり、例えば、各色相に対応した加算補正量をテーブルとして格納している。ユーザインターフェース４０を介してユーザから特定色相が指定されると、マイクロコンピュータ１３によってＲＯＭ１４に格納されているテーブルから、特定色相に対応した加算補正量が読み出され、加算器１２に供給される。
【００４０】
加算器１２は、ＲＯＭ１４から読み出された加算補正量を、特定色相の色差信号（Ｒ−Ｙ）ｘ、色差信号（Ｂ−Ｙ）ｘに加算することで、色差信号（Ｒ−Ｙ）ａ、色差信号（Ｂ−Ｙ）ａを生成し、補正を実行する。
【００４１】
なお、加算器１２へ供給する加算補正量は、ユーザからユーザインターフェース４０を介した指定に応じて、上述したようにマイクロコンピュータ１３によって算出した加算補正量を用いてもよいし、ＲＯＭ１４から読み出した加算補正量を用いてもよいし、両者を組み合わせて用いてもよい。
【００４２】
続いて、図４に示すフローチャートを用いて、色補正回路１０の動作について説明をする。
【００４３】
ステップＳ１において、Ｙ／Ｃ分離回路２０から供給された輝度信号（Ｙ）、色差信号（Ｒ−Ｙ）、色差信号（Ｂ−Ｙ）がフレームメモリ１１に一時的に記憶される。
【００４４】
ステップＳ２において、ユーザは、ユーザインターフェース４０を介して、当該色補正処理回路１０において、色補正処理を実行する特定色相を指定する。
【００４５】
例えば、ユーザが、テレビジョン受像機のリモートコントローラより、色補正処理を実行させるモードに切り替えると、ディスプレイ上には、図５に示すようなＧＵＩが表示される。
【００４６】
図５に示すＧＵＩでは、３本の入力スライダーが表示されており、この入力スライダーから、特定色相及び補正量を指定することになる。入力スライダー５０Ｇは、図３に示すカラーベクトル図において、緑色（Ｇ）を中心とする黄色（Ｙ）からシアン（Ｃ）までの色相を指定するための入力スライダーである。同様に、入力スライダー５０Ｂは、図３に示すカラーベクトル図において、青色（Ｂ）を中心とするシアン（Ｃ）からマゼンタ（Ｍ）までの色相を指定するための入力スライダーであり、入力スライダー５０Ｒは、赤色（Ｒ）を中心とするマゼンタ（Ｍ）から黄色（Ｙ）までの色相を指定するための入力スライダーである。
【００４７】
ユーザは、まず、指定したい色相を含む入力スライダーを選択することになる。例えば、図５においては、入力スライダー５０Ｒが点線で示すように選択され、アクティブになっている。このように、アクティブになった入力スライダーのみが操作可能となる。
【００４８】
各入力スライダーは、スライダー上に表示される指定バーを左右に移動させることで色相を指定することができる。例えば、緑色（Ｇ）、青色（Ｂ）、Ｒ（赤色）をそれぞれ指定したい場合は、入力スライダー５０Ｇ，５０Ｂ，５０Ｒ上に表示される指定バー５１Ｇ，５１Ｂ，５１Ｒを中央に移動させればよい。
【００４９】
図５に示したＧＵＩである各入力スライダーで、図３に示したカラーベクトル図上での色相を指定するには、例えば、各入力スライダーの中央位置からの指定バーの移動量を、以下に示すようにして定義することで実現できる。
【００５０】
例えば、入力スライダー５０Ｒの赤色（Ｒ）〜黄色（Ｙ）の領域において、色相を示すベクトルの方向は、Ｙ軸成分である色差信号（Ｒ−Ｙ）によってほぼ決まることになる。したがって、図５に示す入力スライダー５０Ｒの中央位置から右端までの指定バー５１Ｒの変位を、図３に示すカラーベクトル図上の赤色（Ｒ）の色差信号（Ｒ−Ｙ）ｒから黄色（Ｙ）の色差信号（Ｒ−Ｙ）ｙまでの変位と対応づければよい。
【００５１】
また、入力スライダー５０Ｒの赤色（Ｒ）〜マゼンタ（Ｍ）の領域において、色相を示すベクトルの方向は、Ｘ軸成分である色差信号（Ｂ−Ｙ）によってほぼ決まることになる。したがって、図５に示す入力スライダー５０Ｒの中央位置から左端までの指定バー５１Ｒの変位を、図３に示すカラーベクトル図上の赤色（Ｒ）の色差信号（Ｂ−Ｙ）ｒからマゼンタ（Ｍ）の色差信号（Ｂ−Ｙ）ｍまでの変位と対応づければよい。
【００５２】
続いて、入力スライダー５０Ｇの緑色（Ｇ）〜シアン（Ｃ）の領域において、色相を示すベクトルの方向は、Ｘ軸成分である色差信号（Ｂ−Ｙ）によってほぼ決まることになる。したがって、図５に示す入力スライダー５０Ｇの中央位置から右端までの指定バー５１Ｇの変位を、図３に示すカラーベクトル図上の緑色（Ｇ）の色差信号（Ｂ−Ｙ）ｇからシアン（Ｃ）の色差信号（Ｂ−Ｙ）ｃまでの変位と対応づければよい。
【００５３】
また、入力スライダー５０Ｇの緑色（Ｇ）〜黄色（Ｙ）の領域において、色相を示すベクトルの方向は、Ｙ軸成分である色差信号（Ｒ−Ｙ）によってほぼ決まることになる。したがって、図５に示す入力スライダー５０Ｇの中央位置から左端までの指定バー５１Ｇの変位を、図３に示すカラーベクトル図上の緑色（Ｇ）の色差信号（Ｒ−Ｙ）ｇから黄色（Ｙ）の色差信号（Ｒ−Ｙ）ｙまでの変位と対応づければよい。
【００５４】
さらに、入力スライダー５０Ｂの青色（Ｂ）〜マゼンタ（Ｍ）の領域において、色相を示すベクトルの方向は、Ｙ軸成分である色差信号（Ｒ−Ｙ）によってほぼ決まることになる。したがって、図５に示す入力スライダー５０Ｂの中央位置から右端までの指定バー５１Ｂの変位を、図３に示すカラーベクトル図上の青色（Ｂ）の色差信号（Ｒ−Ｙ）ｂからマゼンタ（Ｍ）の色差信号（Ｒ−Ｙ）ｍまでの変位と対応づければよい。
【００５５】
また、入力スライダー５０Ｂの青色（Ｂ）〜シアン（Ｃ）の領域において、色相を示すベクトルの方向は、Ｙ軸成分である色差信号（Ｒ−Ｙ）によってほぼ決まることになる。したがって、図５に示す入力スライダー５０Ｂの中央位置から左端までの指定バー５１Ｂの変位を、図３に示すカラーベクトル図上の青色（Ｂ）の色差信号（Ｒ−Ｙ）ｂからシアン（Ｃ）の色差信号（Ｒ−Ｙ）ｃまでの変位と対応づければよい。
【００５６】
このように、図５に示す各入力スライダーの変位量は、上述したように図３に示すカラーベクトル図上の色相を示すベクトル方向と対応づけられている。したがって、ユーザが、ユーザインターフェース４０を介して、アクティブにした入力スライダーの指定バーを操作し、所望の特定色相を指定すると、特定色相を示す色差信号（Ｒ−Ｙ）ｘ、色差信号（Ｂ−Ｙ）ｘが決まる。
【００５７】
ステップＳ３において、マイクロコンピュータ１３は、ステップＳ２で指定された特定色相の色差信号、色差信号（Ｒ−Ｙ）ｘ、色差信号（Ｂ−Ｙ）ｘがフレームメモリ１１内にあるかどうかを検索する。フレームメモリ１１内に特定色相の色差信号がある場合は、工程をステップＳ４へと進め、フレームメモリ１１内に特定色相の色差信号がない場合は、工程をステップＳ２へと戻す。
【００５８】
ステップＳ４において、マイクロコンピュータ１３は、特定色相の色差信号がフレームメモリ１１内にあったことに応じて、色補正をする対象となる特定色相近傍の色相を決定する。
【００５９】
例えば、図６に示すように、特定色相の色差信号を、色差信号（Ｂ−Ｙ）ｘ＝ｎ１、色差信号（Ｒ−Ｙ）ｘ＝ｍ１とすると、マイクロコンピュータ１３は、特定色相近傍の色差信号（Ｒ−Ｙ）、色差信号（Ｂ−Ｙ）を、｛（Ｂ−Ｙ），（Ｒ−Ｙ）｝＝｛ｎ０，ｍ０｝、｛ｎ０，ｍ１｝、｛ｎ０，ｍ２｝、｛ｎ１，ｍ０｝、｛ｎ１，ｍ２｝、｛ｎ２，ｍ０｝、｛ｎ２，ｍ１｝、｛ｎ２，ｍ２｝のように決定する。
【００６０】
つまり、色補正回路１０によって色補正をする補正対象を、上述した色差信号で示される３×３種類の色相とする。特定色相近傍の色相は、マイクロコンピュータ１３がＲＯＭ１４などに格納されているデフォルト値を用いて決定してもよいし、ユーザによって指定するようにしてもよい。
【００６１】
ステップＳ５において、入力インターフェース４０を介して、ステップＳ２で指定された特定色相に対する補正量が指定される。
【００６２】
例えば、補正量の指定は、図７に、入力スライダー５０Ｒを用いて示すように、特定色相が指定されると現れる補正量指定バー５２Ｒによって指定する。他の入力スライダー５０Ｇ、入力スライダー５０Ｂにおいても全く同様に指定することができる。図７において、指定バー５１Ｒと、補正量指定バー５２Ｒによって囲まれる領域が補正量分となる。
【００６３】
ステップＳ６において、マイクロコンピュータ１３は、入力インターフェース４０を介して入力された補正量から、特定色相の色差信号（Ｒ−Ｙ）又は色差信号（Ｂ−Ｙ）に加算する加算補正量を算出する。
【００６４】
加算補正量は、入力スライダーの変位量に対応する色差信号（Ｒ−Ｙ）又は色差信号（Ｂ−Ｙ）の変位量から算出される。例えば、図８に示す、入力スライダー５０Ｒにおいて、中央位置から左端までを１００％としたときに、指定バー５１Ｒと、補正量指定バー５２Ｒとによって指定された補正量が３％であるとすると、図３に示すカラーベクトル図上において、赤色（Ｒ）を示すベクトルＶｒのＹ軸方向成分である色差信号（Ｒ−Ｙ）ｒと、黄色（Ｙ）を示すベクトルＶｙのＹ軸方向成分である色差信号（Ｒ−Ｙ）ｙとの差分の３％分の変位が、入力された補正量に対応する加算補正量となる。
【００６５】
マイクロコンピュータ１３は、算出した加算補正量を加算器１２に供給する。このとき、特定色相近傍の色差信号（Ｒ−Ｙ）又は（Ｂ−Ｙ）に加算する加算補正量も算出する。特定色相近傍の色相の色差信号に対する加算補正量は、上述したように、特定色相の色差信号に対する加算補正量よりも小さい値となる。
【００６６】
ステップＳ７において、加算器１２は、フレームメモリ１１から読み出された色差信号（Ｒ−Ｙ）ｘ、色差信号（Ｂ−Ｙ）ｘに、マイクロコンピュータ１３で算出された加算補正量を加算して、色補正処理後の色差信号（Ｒ−Ｙ）ａ、色差信号（Ｂ−Ｙ）ａを生成し、色補正処理を実行する。また、加算器１２は、特定色相近傍の色相に対しても同じ様にステップＳ６で算出された加算補正量を加算して色補正処理を実行する。
【００６７】
このようにして、色補正回路１０は、ユーザインターフェース４０を介して指定された特定色相の色差信号（Ｒ−Ｙ）ｘ、色差信号（Ｂ−Ｙ）ｘをフレームメモリ１１から読み出し、読み出した色差信号（Ｒ−Ｙ）ｘ、色差信号（Ｂ−Ｙ）ｘに対して、指定された補正量に対応して算出された加算補正量、又は、ＲＯＭ１４に格納された加算補正量を加算することで、所望の特定色相の色補正処理を容易に実行することができる。
【００６８】
また、特定色相近傍の色相に対しても、マイクロコンピュータ１３によって算出された加算補正量又は、ＲＯＭ１４に格納された加算補正量を加算することで、特定色相近傍の色相に対しても色補正処理を容易に実行することができる。
【００６９】
したがって、色補正処理において、従来までは必要としていた色補正処理の基準となる高い精度の入力信号を特に指定する必要がなくなり、モニターディスプレイなどのリファレンス映像を参照しながら、容易に所望の色に合わせ込むことができる。
【００７０】
なお、本発明を実施するための最良の形態として示す色補正回路では、ユーザインターフェース４０としてＧＵＩを用いた説明をしているが、本発明は、これに限定されるものではなく、特定色相の指定、補正量の入力をどのような入力インターフェースを介して実施してもかまわない。
【図面の簡単な説明】
【００７１】
【図１】本発明を実施するための最良の形態として示す色補正回路が搭載されるテレビジョン受像機の要部構成について説明するための図である。
【図２】本発明を実施するための最良の形態として示す色補正回路の構成について説明するための図である。
【図３】２つの色差信号をＸ軸、Ｙ軸とするＸＹ平面上に示したカラーベクトル図である。
【図４】同色補正回路における色補正処理動作について説明するためのフローチャートである。
【図５】同色補正回路で色補正処理時に、特定色相及び補正量を指定するユーザインターフェースの一例について説明するための図である。
【図６】同色補正回路において色補正処理をする、特定色相近傍の色相について説明するための図である。
【図７】一例として示したユーザインターフェースにおいて、補正量を指定する操作について説明するための図である。
【図８】一例として示したユーザインターフェースにおいて、指定した補正量と、図３に示したカラーベクトル図との対応について説明するための図である。
【符号の説明】
【００７２】
１０  色補正回路、２０  Ｙ／Ｃ分離回路、３０  マトリックス回路、１１  フレームメモリ、１２  加算器、１３  マイクロコンピュータ、１４  ＲＯＭ（Read Only Memory）、４０  ユーザインターフェース
【図１】
2005101844.tif 000003
【図２】
2005101844.tif 000004
【図３】
2005101844.tif 000005
【図４】
2005101844.tif 000006
【図５】
2005101844.tif 000007
【図６】
2005101844.tif 000008
【図７】
2005101844.tif 000009
【図８】
2005101844.tif 000010